(57)【特許請求の範囲】
【請求項１】
表示部上に設けられたタッチパネルに指をタッチすることによって座標入力可能な情報入力装置において、
前記タッチパネルは、前記表示部の有効表示領域に対応する第１の検出領域と、当該第１の検出領域の周囲を囲う第２の検出領域とを有し、
前記第１の検出領域および前記第２の検出領域の座標入力を検出する検出手段と、
前記検出手段が前記第２の検出領域での座標入力を検出した場合に、前記第１の検出領域の一部または全部を、座標入力を無効とする入力無効領域に設定する入力無効領域設定手段と、
を備えたことを特徴とする情報入力装置。
【請求項２】
前記入力無効領域設定手段は、前記検出手段が前記第２の検出領域で座標入力を検出し、さらに、前記第１の検出領域において、前記検出した前記第２の検出領域の入力座標と近接する位置の座標入力を検出した場合に、前記第１の検出領域を、前記入力無効領域に設定することを特徴とする請求項１に記載の情報入力装置。
【請求項３】
前記入力無効領域設定手段は、前記検出した前記第１の検出領域または前記第２の検出領域の入力座標の周辺の前記第１の検出領域の一部を、前記入力無効領域に設定することを特徴とする請求項２に記載の情報入力装置。
【請求項４】
前記第１および第２の検出領域は、水平方向および垂直方向に交差するマトリクスタイプのセンサで構成されることを特徴とする請求項１〜請求項３のいずれか１つに記載の情報入力装置。
【請求項５】
前記第１の検出領域は、水平方向および垂直方向に交差するマトリクスタイプのセンサで構成され、前記第２の検出領域は、水平方向または垂直方向に延在するタイプのセンサで構成されることを特徴とする請求項１〜請求項３のいずれか１つに記載の情報入力装置。
【請求項６】
表示部上に設けられたタッチパネルに指をタッチすることによって座標入力可能な情報入力装置の入力無効化方法において、
前記タッチパネルは、前記表示部の有効表示領域に対応する第１の検出領域と、当該第１の検出領域の周囲を囲う第２の検出領域とを有し、
前記第１の検出領域および前記第２の検出領域の座標入力を検出する検出工程と、
前記検出工程で前記第２の検出領域で座標入力を検出した場合には、前記第１の検出領域の一部または全部を、座標入力を無効とする入力無効領域に設定する入力無効領域設定工程と、
を含むことを特徴とする情報入力装置の入力無効化方法。
【請求項７】
表示部上に設けられたタッチパネルに指をタッチすることによって座標入力可能な情報入力装置に搭載されるプログラムにおいて、
前記タッチパネルは、前記表示部の有効表示領域に対応する第１の検出領域と、当該第１の検出領域の周囲を囲う第２の検出領域とを有し、
コンピュータに、
前記第１の検出領域および前記第２の検出領域の座標入力を検出する検出工程と、
前記検出工程で前記第２の検出領域で座標入力を検出した場合には、前記第１の検出領域の一部または全部を、座標入力を無効とする入力無効領域に設定する入力無効領域設定工程と、
を実行させることを特徴とするコンピュータが実行可能なプログラム。
【発明の詳細な説明】
【技術分野】
【０００１】
本発明は、情報入力装置、その入力無効化方法、およびコンピュータが実行可能なプログラムに関する。
【背景技術】
【０００２】
表示装置上にタッチパネルを装備し、タッチパネル上を指やペンなどにより操作することでデータ入力するタッチパネル装置が、ノート型ＰＣ、携帯端末、ＰＤＡ、ＡＴＭ、およびカーナビゲーション装置等の情報処理装置で採用されている。
【０００３】
かかるタッチ式入力装置を備えた情報処理装置では、装置の小型、軽量化が強く要求さる一方、画像を表示する表示画面の大型化に対する要求も強く、薄型で軽量な液晶パネルを使った表示画面を備えたり、筐体の枠ぎりぎりまで広がった表示画面を備えているものもある。
【０００４】
しかしながら、かかるタッチパネル装置を備えた情報処理装置では、装置の操作中にタッチパネル上に装置を保持している側の指が当たったり、また、電源が入ったまま装置を手で保持して移動する場合に、保持している側の指が当たったり、ユーザの意図しない誤入力（誤操作）を起こしやすい。特に、タッチパネルと筐体の額縁との境界付近は装置を保持する指が当たりやすく、意図しない誤入力を起こしやすい部分となっている。
【先行技術文献】
【特許文献】
【０００５】
【特許文献１】特開２０００−３９９６４号公報
【特許文献２】特開２００９−８７０７６号公報
【発明の概要】
【発明が解決しようとする課題】
【０００６】
本発明は、上記に鑑みてなされたものであり、タッチパネルを備えた情報入力装置において、ユーザの意図しない誤入力を防止することが可能な情報入力装置、その入力無効化方法、およびコンピュータが実行可能なプログラムを提供することを目的とする。
【課題を解決するための手段】
【０００７】
上述した課題を解決し、目的を達成するために、本発明は、表示部上に設けられたタッチパネルに指をタッチすることによって座標入力可能な情報入力装置において、前記タッチパネルは、前記表示部の有効表示領域に対応する第１の検出領域と、当該第１の検出領域の周囲を囲う第２の検出領域とを有し、前記第１の検出領域および前記第２の検出領域の座標入力を検出する検出手段と、前記検出手段が前記第２の検出領域での座標入力を検出した場合に、前記第１の検出領域の一部または全部を、座標入力を無効とする入力無効領域に設定する入力無効領域設定手段と、を備えたことを特徴とする。
【０００８】
また、本発明の好ましい態様によれば、前記入力無効領域設定手段は、前記検出手段が前記第２の検出領域で座標入力を検出し、さらに、前記第１の検出領域において、前記検出した前記第２の検出領域の入力座標と近接する位置の座標入力を検出した場合に、前記第１の検出領域を、前記入力無効領域に設定することが望ましい。
【０００９】
また、本発明の好ましい態様によれば、前記入力無効領域設定手段は、前記検出した前記第１の検出領域または前記第２の検出領域の入力座標の周辺の前記第１の検出領域の一部を、前記入力無効領域に設定することが望ましい。
【００１０】
また、本発明の好ましい態様によれば、前記第１および第２の検出領域は、水平方向および垂直方向に交差するマトリクスタイプのセンサで構成されることが望ましい。
【００１１】
また、本発明の好ましい態様によれば、前記第１の検出領域は、水平方向および垂直方向に交差するマトリクスタイプのセンサで構成され、前記第２の検出領域は、水平方向または垂直方向に延在するタイプのセンサで構成されることが望ましい。
【００１２】
また、上述した課題を解決し、目的を達成するために、本発明は、表示部上に設けられたタッチパネルに指をタッチすることによって座標入力可能な情報入力装置の無効化方法において、前記タッチパネルは、前記表示部の有効表示領域に対応する第１の検出領域と、当該第１の検出領域の周囲を囲う第２の検出領域とを有し、前記第１の検出領域および前記第２の検出領域の座標入力を検出する検出工程と、前記検出工程で前記第２の検出領域で座標入力を検出した場合には、前記第１の検出領域の一部または全部を、座標入力を無効とする入力無効領域に設定する入力無効領域設定工程と、を含むことを特徴とする。
【００１３】
また、上述した課題を解決し、目的を達成するために、本発明は、表示部上に設けられたタッチパネルに指をタッチすることによって座標入力可能な情報入力装置に搭載されるプログラムにおいて、前記タッチパネルは、前記表示部の有効表示領域に対応する第１の検出領域と、当該第１の検出領域の周囲を囲う第２の検出領域とを有し、コンピュータに、前記第１の検出領域および前記第２の検出領域の座標入力を検出する検出工程と、前記検出工程で前記第２の検出領域で座標入力を検出した場合には、前記第１の検出領域の一部または全部を、座標入力を無効とする入力無効領域に設定する入力無効領域設定工程と、を実行させることを特徴とする。
【発明の効果】
【００１４】
本発明によれば、表示部上に設けられたタッチパネルに指をタッチすることによって座標入力可能な情報入力装置において、前記タッチパネルは、前記表示部の有効表示領域に対応する第１の検出領域と、当該第１の検出領域の周囲を囲う第２の検出領域とを有し、前記第１の検出領域および前記第２の検出領域の座標入力を検出する検出手段と、前記検出手段が前記第２の検出領域での座標入力を検出した場合に、前記第１の検出領域の一部または全部を、座標入力を無効とする入力無効領域に設定する入力無効領域設定手段と、を備えているので、タッチパネルを備えた情報入力装置において、ユーザの意図しない誤入力を防止することが可能な情報入力装置を提供することが可能になるという効果を奏する。
【図面の簡単な説明】
【００１５】
【図１】図１は、本実施の形態に係る情報入力装置の概念図である。
【図２】図２は、本実施の形態に係る情報入力装置の入力無効領域設定の手順の概略を示すフローチャートである。
【図３】図３は、実施の形態に係る情報入力装置を適用したスレートＰＣの概略の外観図である。
【図４】図４は、図３の概略のＢ−Ｂ断面図である。
【図５】図５は、タッチパネルの模式的な平面図である。
【図６】図６は、スレートＰＣのハードウェアの構成を示す概略図である。
【図７】図７は、スレートＰＣがタッチパネルの入力無効領域を設定する手順の概略を説明するためのフローチャートである。
【図８】図８は、ユーザがスレートＰＣを使用している際に、ユーザがタッチパネルを指でタッチしてしまう場合を説明するための図である。
【図９】図９は、スレートＰＣの電源を入れたまま持ち運ぶ場合に、ユーザがタッチパネル２を指でタッチしてしまう場合を説明するための図である。
【図１０】図１０は、タッチパネルの構造の変形例を示す図である。
【図１１】図１１は、タッチパネルの構成の変形例を示す図である。
【発明を実施するための形態】
【００１６】
以下、本実施の形態にかかる情報入力装置およびその方法を適用したコンピュータシステムの実施の形態について説明する。本発明の構成要素は、本明細書の図面に一般に示してあるが、様々な構成で広く多様に配置し設計してもよいことは容易に理解できる。したがって、本発明の装置、方法、およびプログラムの実施の形態についての以下のより詳細な説明は、特許請求の範囲に示す本発明の範囲を限定するものではなく、単に本発明の選択した実施の形態の一例を示すものであって、本明細書の特許請求の範囲に示す本発明と矛盾無く装置、システムおよび方法についての選択した実施の形態を単に示すものである。当業者は、特定の細目の１つ以上が無くても、または他の方法、部品、材料でも本発明を実現できることが理解できる。
【００１７】
（実施の形態）
図１は、本実施の形態に係る情報入力装置の概念図である。図２は、本実施の形態に係る情報入力装置の入力無効領域設定手順の概略を示すフローチャートである。
【００１８】
本実施の形態に係る情報入力装置１は、図１に示すように、タッチパネル２と、表示部３と、座標検出部４と、入力無効領域判定・設定部５と、表示制御部６とを備えている。情報入力装置１は、ハードウェアやソフトウェアのモジュール、または、その組み合わせで構成することができる。
【００１９】
表示部３は、例えば、ＬＣＤや有機ＥＬディスプレイ等のフラットパネルディスプレイであり、表示制御部６の制御に従って、文字や画像等の各種情報を表示する。
【００２０】
タッチパネル２は、抵抗膜方式や静電結合方式のタッチパネルであり、表示部３上に設けられ、操作者が指をタッチして、表示部３に表示される各種メニュー、アイコン、ボタン、およびキーボード等の画面オブジェクトを選択して入力操作を行ったり、スクロールやスワイプ等の画面操作を行うためのものである。
【００２１】
また、タッチパネル２は、表示部３の有効表示領域に対応する第１の検出領域（通常検出領域）ＤＡ１と、当該第１の検出領域ＤＡ１の周囲を囲う第２の検出領域（拡張検出領域）ＤＡ２とを備えている。第１の検出領域ＤＡ１は、操作入力を行うための領域である。第２の検出領域ＤＡ２は、意図しない指のタッチ（お手つき）を検出するための領域であり、操作入力の対象とはならない。なお、同図に示す例では、表示部３の全面を有効表示領域としている。
【００２２】
座標検出部４は、タッチパネル２上で指によってタッチされた座標位置を検出して、入力無効領域判定・設定部５に出力する。
【００２３】
入力無効領域判定・設定部５は、座標検出部４から入力される座標位置のうち、タッチパネル２の第１の検出領域ＤＡ１で検出された座標位置を表示制御部６に出力する。また、入力無効領域判定・設定部５は、タッチパネル２に対する操作者の意図しないタッチを判定して、タッチパネル２の第１の検出領域ＤＡ１の一部または全部を入力無効領域ＩＡに設定する。具体的には、入力無効領域判定・設定部５は、座標検出部４から入力される座標位置が、第２の検出領域ＤＡ２内であるか否かを判断し、座標位置が第２の検出領域Ａ２内である場合には、第１の検出領域ＤＡ１の一部または全部を入力無効領域ＩＡに設定する。入力無効領域判定・設定部５は、入力無効領域ＩＡを設定した場合は、入力無効領域ＩＡの座標入力を無効とし、入力無効領域ＩＡ内で検出され座標位置を表示制御部６に出力しない。なお、入力無効領域判定・設定部５は、入力無効領域ＩＡを設定した後に、第２の検出領域ＤＡ２の座標入力がない場合には、指が離れたと判断して、入力無効領域ＩＡを解除してもよい。
【００２４】
また、入力無効領域判定・設定部５は、第２の検出領域ＤＡ２で座標入力を検出し、さらに、第１の検出領域ＤＡ１において、当該検出した第２の検出領域ＤＡ２の入力座標と近接する位置の座標入力を検出した場合に、第１の検出領域ＤＡ１の一部または全部を、入力無効領域ＩＡに設定することにしてもよい。また、入力無効領域判定・設定部５は、第１の検出領域ＤＡ１の一部を入力無効領域ＩＡに設定する場合は、検出した第２の検出領域ＤＡ２または第１の検出領域ＤＡ１の座標位置の周辺を入力無効領域ＩＡに設定することにしてもよい。
【００２５】
表示制御部６は、表示部３の表示を制御するためのものであり、文字、画像、アイコン、タスクバー、ウインドウ等を表示させたり、入力無効領域判定・設定部５から入力される位置座標に基づいて、各種処理を行う。
【００２６】
図２を参照して、記情報入力装置１がタッチパネル２の入力無効領域を設定する手順の概略を説明する。図２に示すフローチャートは所定周期で繰り返し実行される。図２において、座標検出部４は、タッチパネル２の座標入力を検出すると、その位置座標を入力無効領域判定・設定部５に出力する。入力無効領域判定・設定部５は、第２の検出領域ＤＡ２で座標入力があるか否かを判断する（ステップＳ１）。第２の検出領域ＤＡ２で座標入力がある場合には（ステップＳ１の「Ｙｅｓ」）、入力無効領域判定・設定部５は、第１の検出領域ＤＡ１の一部または全部を入力無効領域ＩＡに設定する（ステップＳ２）。
【００２７】
他方、第２の検出領域ＤＡ２で座標入力がない場合には（ステップＳ１の「Ｎｏ」）、入力無効領域判定・設定部５は、入力無効領域ＩＡが設定されているか否かを判断する（ステップＳ３）。入力無効領域ＩＡが設定されている場合には（ステップＳ３の「Ｙｅｓ」）、入力無効領域判定・設定部５は、入力無効領域ＩＡの設定を解除する（ステップＳ４）。
【００２８】
以上説明したように、上記構成によれば、座標検出部４は、タッチパネル２の座標入力を検出すると、その位置座標を無効領域判定・設定部５に出力し、無効領域判定・設定部５は、座標検出部４から入力される座標位置が、第２の検出領域ＤＡ２内である場合には、第１の検出領域ＤＡ１の一部または全部入力無効領域に設定することとしたので、ユーザの意図しない誤入力を防止することが可能となる。付言すると、例えば、ユーザが情報入力装置１を操作している場合や、電源が入ったまま手で保持して移動する場合に、指がタッチパネル２に当たっても、ユーザの意図しない誤入力（誤操作）を防止することができる。
【００２９】
また、入力無効領域判定・設定部５は、第２の検出領域ＤＡ２で座標入力を検出し、さらに、第１の検出領域ＤＡ１において、検出した第２の検出領域ＤＡ２の入力座標と近接する位置の座標入力を検出した場合に、第１の検出領域ＤＡ１の一部または全部を、入力無効領域ＩＡに設定することとしたので、指が第２の検出領域ＤＡ２のみに触れ、第１の検出領域ＤＡ１に触れていない場合に、入力無効化領域ＩＡが設定されるのを防止できる。
【００３０】
また、入力無効領域判定・設定部５は、検出した第１の検出領域ＤＡ１または第２の検出領域ＤＡ２の入力座標の周辺に存在する第１の検出領域ＤＡ１の一部を、入力無効領域ＩＡに設定することとしたので、意図しないで指がタッチパネル２に触れ、その指が周辺で動いた場合でも誤入力を防止することができる。
【００３１】
（実施例）
図３は、実施の形態に係る情報入力装置を適用したスレートＰＣの概略の外観図である。図４は、図３の概略のＢ−Ｂ断面図である。図５は、タッチパネルの模式的な平面図である。
【００３２】
図３および図４に示すように、スレートＰＣ１０は、略長方体である筐体１１に、回路基板１２、表示部であるＬＣＤ１３、およびタッチパネル２が収納されている。タッチパネル２は、筐体１１の額縁１１ａと略同一平面上に配置されている。また、タッチパネル２は、図５に示すように、ガラス基板２ｇに、Ｘ方向およびＹ方向に配列されたライン状の透明導電体２ａ、２ｂと、保護フィルムやコーティング層等の保護膜（不図示）が積層された構造となっている。
【００３３】
タッチパネル２は、ＬＣＤ１３の有効表示領域よりも大きな検出領域を備えており、有効表示領域に対応した第１の検出領域ＤＡ１と、第１の検出領域ＤＡ１（ＬＣＤ１３の有効表示領域）の周囲を囲う第２の検出領域ＤＡ２とを備えている。この第２の検出領域ＤＡ２は、操作画面ではないことを使用者に示すため、黒く印刷されていることが望ましい。使用者は、指でタッチパネル１の第１の検出領域ＤＡ１を操作することで、キーボードやマウスによる操作と同じようにスレートＰＣ１を操作することが可能となっている。
【００３４】
図６は、図３のスレートＰＣ１のハードウェアの構成を示す概略図である。ＰＣ１は、同図に示すように、ＣＰＵ１０１、ＲＯＭ１０２、メモリ１０３、ＨＤＤ（ハードディスク）１０４、ＬＣＤ１３と、グラフィクスアダプタ１０５と、座標入力装置２０と、ディスクドライブ１０６と、電源回路１０８とを備えており、各部はバスを介して直接または間接的に接続されている。
【００３５】
ＣＰＵ１０１は、バスを介して接続されたＨＤＤ１０４に格納されたＯＳ１１１によりＰＣ１全体の制御を行うとともに、ＨＤＤ１０４に格納された各種のプログラムに基づいて処理を実行する機能を司る。ＲＯＭ１０２は、ＢＩＯＳ（Ｂａｓｉｃ  Ｉｎｐｕｔ／Ｏｕｔｐｕｔ  Ｓｙｓｔｅｍ：基本入出力システム）１０２ａやデータ等を格納している。
【００３６】
メモリ１０３は、キャッシュメモリやＲＡＭで構成されており、ＣＰＵ１０１の実行プログラムの読み込み領域として、実行プログラムの処理データを書き込む作業領域として利用される書き込み可能メモリである。
【００３７】
ＨＤＤ（ハードディスク）１０４は、例えば、Ｗｉｎｄｏｗｓ（登録商標）ＸＰ，ＶＩＳＴＡ、７等のスレートＰＣ１全体の制御を行うためのＯＳ１１１、周辺機器類をハードウェア操作するための各種ドライバ（例えば、表示ドライバ、タッチパネルドライバ等）１１２、座標検出装置２０の入力指示に従って、ＬＣＤ１３の表示画面の表示処理や他の処理を実行するためのアプリケーションプログラム１１３等を記憶する機能を有する。
【００３８】
グラフィクスアダプタ１０５は、ＣＰＵ１０１の制御に従って、表示情報をビデオ信号に変換し、変換したビデオ信号をＬＣＤ１３に出力する。ＬＣＤ１３は、ＣＰＵ１０１の制御に従って、各種情報を表示する機能を有している。
【００３９】
ディスクドライブ１０６は、ＣＤ−ＲＯＭやＤＶＤ等のディスク１０７が挿入され、ディスク１０７のデータをリード／ライトする。
【００４０】
電源回路１０８は、ＡＣアダプタ、インテリジェント電池、インテリジェント電池を充電するための充電器、およびＤＣ／ＤＣコンバータ等を備えており、ＣＰＵ１０１の制御に従って、各デバイスに電力を供給する。
【００４１】
座標入力装置２０は、ユーザが入力操作を行うためのユーザインターフェースであり、ユーザが、ＬＣＤ１３の画面に表示される各種メニュー、アイコン、ボタン、およびキーボード等の画面オブジェクトを選択して入力操作を行ったり、スクロールやスワイプ等の画面操作を行うためのものである。
【００４２】
座標入力装置２０は、タッチパネル２とドライブ回路２１を備えている。ドライブ回路２１は、タッチパネル２でタッチされた座標位置（Ｘ，Ｙ）を検出して、ＣＰＵ１０１に出力する。ドライブ回路２１は、上記図１の座標検出部４として機能する。ドライブ回路２１の機能を、コンピュータがプログラムを実行することによって実現することにしてもよい。
【００４３】
上記ＣＰＵ１０１は、ＨＤＤ１０４に格納されたプログラムを実行することにより、上記図１の入力無効領域判定・設定部５および表示制御部６として機能する。ＣＰＵ１０１は、座標入力装置３０から入力される座標位置に対応する画面オブジェクト（アイコン、タスクバー、ボタン等）に基づく各種処理を行う。ＣＰＵ１０１は、タッチパネル２の第２の検出領域ＤＡ２で第１の座標入力があり、さらに、第１の検出領域ＤＡ１において、当該検出した第２の検出領域ＤＡ２の座標位置と近接する位置で第２の座標入力がある場合に、当該第２の座標入力の周辺に存在する第１の検出領域ＤＡ１を、入力無効領域ＩＡに設定する。
【００４４】
図７は、上記スレートＰＣ１０がタッチパネル２の入力無効領域を設定する手順の概略を説明するためのフローチャートである。図７において、まず、ＣＰＵ１０１は、第２の検出領域ＤＡ２で座標入力があるか否かを判断する（ステップＳ１１）。第２の検出領域ＤＡ２で座標入力がない場合には（ステップＳ１１の「Ｎｏ」）、ステップＳ１４に移行する。他方、第２の検出領域ＤＡ２で座標入力がある場合には（ステップＳ１１の「Ｙｅｓ」）、ＣＰＵ１０１は、第１の検出領域ＤＡ１において、第２の検出領域ＤＡ２で検出された座標入力と近接した位置の座標入力があるか否かを判断する（ステップＳ１２）。例えば、第１の検出領域ＤＡ１で検出された座標をＸ１，Ｙ１とし、第２の検出領域ＤＡ２で検出された座標をＸ２、Ｙ２とした場合、｜Ｘ１−Ｘ２｜≦第１の閾値ＴＨ１、かつ、｜Ｙ１−Ｙ２｜≦第２の閾値ＴＨ２である場合に、座標が近接すると判断することができる。
【００４５】
第１の検出領域ＤＡ１において、第２の検出領域ＤＡ２で検出された座標入力と近接した位置で座標入力がない場合には（ステップＳ１２の「Ｎｏ」）、ステップＳ１４に移行する。他方、第１の検出領域ＤＡ１において、第２の検出領域ＤＡ２で検出された座標入力と近接した位置の座標入力がある場合には（ステップＳ１２の「Ｙｅｓ」）、意図しないタッチと判断して、ＣＰＵ１０１は、第１の検出領域Ａ１のうち、上記Ｓ１２で検出した座標の周辺を入力無効領域ＩＡに設定する（ステップＳ１３）。
【００４６】
ステップＳ１４では、ＣＰＵ１０１は、入力無効領域ＩＡが設定されているか否かを判断する。入力無効領域ＩＡが設定されている場合には（ステップＳ１４の「Ｙｅｓ」）、
指がタッチパネル２から離れたと判断して、ＣＰＵ１０１は、入力無効領域ＩＡを解除する（ステップＳ１５）。
【００４７】
なお、指がタッチパネル２の第１の検出領域ＤＡ１に触れた後に、第２の検出領域ＤＡ２に触れる場合もあるので、ステップＳ１１とＳ１２の順番を入れ替えて実行することにしてもよい。また、第２の検出領域ＤＡ２の座標入力と第１の検出領域ＤＡ１の座標入力とが所定時間内に行われた場合に、入力無効領域ＩＡを設定することにしてもよい。
【００４８】
図８および図９を参照して、タッチパネル２に対するユーザが意図しないタッチを行った場合の検出方法の具体例を説明する。図８は、ユーザがスレートＰＣを使用している際に、タッチパネル２を意図せずにタッチする場合を説明するための図である。
【００４９】
図８において、ユーザは、スレートＰＣ１を使用している場合に、スレートＰＣ１を保持するために、指Ｆ１でタッチパネル２の隅を触ってしまう場合がある。例えば、指Ｆ１の後端側が第２の検出領域ＤＡ２にタッチされ（上記図７のステップＳ１１）、次に、指Ｆ１の先端側が第１の検出領域ＤＡ１にタッチされた場合（上記図７のステップＳ１２）、両者の検出座標は近接しているので、第１の検出領域ＤＡ１のうち、検出座標の周辺の領域が検出無効領域ＩＡに設定される（上記図７のステップＳ１３）。例えば、第１の検出領域ＤＡ１で検出された座標を、（Ｘ１，Ｙ１）とした場合、（Ｘ０、Ｙ１−Ｐ２／２）、（Ｘ０＋Ｐ１，Ｙ１−Ｐ２／２）、（Ｘ０、Ｙ１＋Ｐ２／２）、（Ｘ０＋Ｐ１，Ｙ１＋Ｐ２／２）の４点で規定される矩形の領域を入力無効領域ＩＡとすることができる。これにより、意図しないタッチパネル２のタッチによる誤入力を防止することができる。入力無効領域ＩＡの形状は矩形に限られるものではなく、他の形状としてもよい。
【００５０】
図９は、スレートＰＣ１の電源を入れたまま持ち運ぶ場合に、ユーザがタッチパネル２を指でタッチしてしまう場合を説明するための図である。図９において、ユーザがスレートＰＣ１を持ち運ぶ際には、スレートＰＣ１を手で把持するため、複数本の指でタッチパネル２をタッチしてしまう場合がある。例えば、指Ｆ１の後端側が第２の検出領域ＤＡ２にタッチされ（上記図７のステップＳ１１）、次に指Ｆ１の先端側が第１の検出領域ＤＡ２にタッチされた場合（上記図７のステップＳ１２）、両者の検出座標は近接しているので、第１の検出領域ＤＡ１のうち、検出座標の周辺の領域が入力無効領域ＩＡに設定される（上記図７のステップＳ１３）。この入力無効領域ＩＡには、他の指Ｆ２〜Ｆ４が接触するエリアを含む広い領域が設定されるため、指Ｆ１〜Ｆ４による意図しない誤操作を防止することができる。
【００５１】
以上説明したように、上記実施例によれば、ＣＰＵ１０１は、第２の検出領域ＤＡ２で座標入力を検出し、さらに、第１の検出領域ＤＡ１において、検出した第２の検出領域ＤＡ２の入力座標と近接する位置の座標入力を検出した場合に、検出した第２の検出領域ＤＡ２の入力座標の周辺に存在する第１の検出領域ＤＡ１の一部を、入力無効領域ＩＡに設定することとしたので、ユーザが操作している場合や手で把持して移動する場合に、ユーザの指がタッチパネル２に意図せずに触れた場合でも、その誤入力を防止することが可能となる。また、タッチパネル２は、操作入力で使用する検出領域を拡張して意図しないタッチ（お手つき）を検出する構成であるので、別途、意図しないタッチ検出用のセンサを設ける必要がなく、低コストな構成とすることができる。また、操作入力用のタッチと意図しないタッチのデータをＣＰＵ１０１（ドライバ１１２）で一元管理することができるため、ソフトウェア構成が簡単となる。
【００５２】
（変形例）
図１０は、タッチパネル２の構造の変形例を示す図である。上記実施例では、タッチパネル２の第１の検出領域ＤＡ１と第２の検出領域ＤＡ２を、透明導電体２ａ、２ｂでマトリクス状に構成することとしたが、図１０に示すように、第２の検出領域ＤＡ２をストレート状の透明導電体２ｃのみで構成することにしてもよい。この場合、第２の検出領域ＤＡ２で検出される座標は、Ｘ座標またはＹ座標となるが、第２の検出領域ＤＡ２で検出されたＸ座標またはＹ座標と、第１の検出領域ＤＡ１で検出されたＸ座標またはＹ座標とを比較することで、検出座標が近接しているかを判断することができる。
【００５３】
図１１は、タッチパネル２の構成の変形例を示す図である。上記実施例では、第２の検出領域ＤＡ２を筐体１１の額縁１１ａとの境界まで形成しているが、図１１に示すように、第２の検出領域ＤＡ２を額縁１１ａとの境界まで形成しないで、額縁１１ａとの境界付近を、非検出領域ＮＡとしてもよい。
【００５４】
上記実施例では、スレートＰＣについて説明したが、本発明はこれに限られるものではなく、タッチパネルを備えた他の情報処理装置、例えば、ノート型ＰＣ、携帯端末、ＰＤＡ、およびナビゲーション装置等にも適用可能である。
【産業上の利用可能性】
【００５５】
以上のように、本発明にかかる情報入力装置、その入力無効化方法、およびコンピュータが実行可能なプログラムは、タッチパネルを備えた各種装置に利用可能である。
【符号の説明】
【００５６】
１  情報入力装置
２  タッチパネル
３  表示部
４  座標検出部
５  入力無効領域判定・設定部
６  表示制御部
１１  筐体
１１ａ  額縁
１２  回路基板
１３  ＬＣＤ
２０  座標入力装置
２１  ドライブ回路
１０１  ＣＰＵ
１０２  ＲＯＭ
１０３  メモリ
１０４  ＨＤＤ（ハードディスク）
１０５  グラフィクスアダプタ
１０６  ディスクドライブ
１０８  電源回路
【図１】
0005133372.tif 000002
【図２】
0005133372.tif 000003
【図３】
0005133372.tif 000004
【図４】
0005133372.tif 000005
【図５】
0005133372.tif 000006
【図６】
0005133372.tif 000007
【図７】
0005133372.tif 000008
【図８】
0005133372.tif 000009
【図９】
0005133372.tif 000010
【図１０】
0005133372.tif 000011
【図１１】
0005133372.tif 000012